(57)【特許請求の範囲】
【請求項１】
電力消費地に設置されるオンサイト発電システムであって、
一次側が送電系統に接続され、少なくとも二次側が星形結線されてなり、多相交流電力を変圧する変圧手段と、
前記変圧手段の二次側に接続され、複数のスイッチング素子のスイッチング操作により多相交流電力と直流電力との変換が可能なインバータ回路と、
前記インバータ回路を介して直流電力の充放電が可能で、負荷に電力の供給が可能な蓄電手段と、
前記変圧手段の二次側の中性点と前記インバータ回路の正極母線および負極母線の一方とに接続された発電装置と
を備えるオンサイト発電システム。
【請求項２】
電力消費地に設置されるオンサイト発電システムであって、
一次側が送電系統に接続され、少なくとも二次側が星形結線されてなり、多相交流電力を変圧する変圧手段と、
前記変圧手段の二次側に接続され、複数のスイッチング素子のスイッチング操作により多相交流電力と直流電力との変換が可能なインバータ回路と、
前記変圧手段の二次側の中性点と前記インバータ回路の正極母線および負極母線の一方とに接続され、直流電力の充放電が可能で、負荷に電力の供給が可能な蓄電手段と、
前記インバータ回路の正極母線と負極母線とに接続された発電装置と
を備えるオンサイト発電システム。
【請求項３】
電力消費地に設置されるオンサイト発電システムであって、
一次側が送電系統に接続され、少なくとも二次側が星形結線されてなり、多相交流電力を変圧する変圧手段と、
前記変圧手段の二次側に接続され、複数のスイッチング素子のスイッチング操作により多相交流電力と直流電力との変換が可能なインバータ回路と、
前記変圧手段の二次側の中性点と前記インバータ回路の正極母線および負極母線の一方とに接続され、直流電力の充放電が可能で、負荷に電力の供給が可能な蓄電手段と、
前記変圧手段の二次側の中性点と前記インバータ回路の正極母線および負極母線のうち前記蓄電手段が接続されていない他方と接続された発電装置と
を備えるオンサイト発電システム。
【請求項４】
前記変圧手段は、各相のコイルを独立なコアに巻き付けてなる請求項１ないし３いずれか記載のオンサイト発電システム。
【請求項５】
前記変圧手段は、各相のコイルを共通のコアに巻き付けてなる請求項１ないし３いずれか記載のオンサイト発電システム。
【請求項６】
前記変圧手段は、一次側が星形結線またはデルタ結線またはＶ形結線されてなる請求項１ないし５いずれか記載のオンサイト発電システム。
【請求項７】
前記変圧手段は、一次側に高周波ノイズを吸収するフィルタを備える請求項１ないし６いずれか記載のオンサイト発電システム。
【請求項８】
前記インバータ回路のスイッチング素子をスイッチング制御することにより前記送電系統と前記発電装置と前記蓄電手段との電力のやり取りを制御する制御手段を備える請求項１ないし７いずれか記載のオンサイト発電システム。
【請求項９】
前記制御手段は、前記蓄電手段の端子間電圧が所定範囲内となるよう制御する手段である請求項８記載のオンサイト発電システム。
【請求項１０】
請求項８または９記載のオンサイト発電システムであって、
前記送電系統の電圧位相を検出する電圧位相検出手段を備え、
前記制御手段は、前記電圧位相検出手段により検出された前記送電系統の電圧位相に基づいて、前記インバータ回路のスイッチング素子をスイッチングして前記変圧手段の二次側の電圧位相を制御することにより、前記送電系統との電力のやり取りを制御する手段である
オンサイト発電システム。
【請求項１１】
前記制御手段は、前記変圧手段の二次側に流れる電流のうち直流成分を調節することにより前記蓄電手段と前記発電装置との電力のやり取りを制御し、前記変圧手段の二次側に流れる電流のうち交流成分を調節することにより前記送電系統と前記蓄電手段および／または前記発電装置との電力のやり取りを制御する手段である請求項８ないし１０いずれか記載のオンサイト発電システム。
【発明の詳細な説明】
【０００１】
【発明の属する技術分野】
本発明は、オンサイト発電システムに関し、詳しくは、電力消費地に設置されるオンサイト発電システムに関する。
【０００２】
【従来の技術】
従来、この種のオンサイト発電システムとしては、燃料電池や太陽電池などを有する発電装置および負荷に電力を供給可能な二次電池をインバータ回路と切替スイッチとを介して送電系統や負荷に接続するものが提案されている（例えば、特開平１１−１２７５４６号公報など）。このシステムでは、送電系統とインバータ回路との接続を司る切替スイッチと、負荷と送電系統との接続と負荷とインバータ回路との接続とを選択的に切り替える切替スイッチとを備え、送電系統が正常に機能するときには、負荷と送電系統とを接続して送電系統からの電力により負荷を駆動すると共に必要に応じて送電系統とインバータ回路とを接続して二次電池を充電し、災害などにより送電系統が正常に機能しないときには、送電系統とインバータ回路との接続を解除すると共に負荷とインバータ回路とを接続して発電装置や二次電池からの電力により負荷を駆動する。
【０００３】
【発明が解決しようとする課題】
しかしながら、こうしたシステムでは、送電系統が正常に機能しなくなったときに、送電系統とインバータ回路との接続を解除すると共に負荷とインバータ回路とを接続するよう切替スイッチを駆動するから、こうした接続や接続の解除に要する間は負荷に電力を供給することができず、一旦、負荷への電力の供給を停止する必要がある。このため、送電系統に瞬間的な停電が生じる毎に負荷への電力の供給が停止されてしまい、負荷へ電力を安定供給することができない。また、切替スイッチの駆動に必要な時間だけ負荷の作動に要する時間の遅れも生じる。さらに、切替スイッチによる切り替えが必要なことから、送電系統と二次電池と発電装置と負荷との電力のやり取りを複合して同時に行なうことができない。例えば、発電装置と送電系統からの電力を用いて二次電池を充電しながら負荷を駆動することはできない。このため、発電装置により生じる電力を有効に利用することができず、システムの効率を低下させてしまう。
【０００４】
本発明のオンサイト発電システムは、負荷へ電力を安定供給することを目的の一つとする。また、本発明のオンサイト発電システムは、送電系統と蓄電手段と発電装置と負荷との電力のやり取りを複合して同時に行なうことを目的の一つとする。さらに、本発明のオンサイト発電システムは、システムの効率の向上を目的の一つとする。
【０００５】
【課題を解決するための手段およびその作用・効果】
本発明のオンサイト発電システムは、上述の目的の少なくとも一部を達成するために以下の手段を採った。
【０００６】
本発明の第１のオンサイト発電システムは、
電力消費地に設置されるオンサイト発電システムであって、
一次側が送電系統に接続され、少なくとも二次側が星形結線されてなり、多相交流電力を変圧する変圧手段と、
前記変圧手段の二次側に接続され、複数のスイッチング素子のスイッチング操作により多相交流電力と直流電力との変換が可能なインバータ回路と、
前記インバータ回路を介して直流電力の充放電が可能で、負荷に電力の供給が可能な蓄電手段と、
前記変圧手段の二次側の中性点と前記インバータ回路の正極母線または負極母線とに接続された発電装置と
を備えることを要旨とする。
【０００７】
この本発明の第１のオンサイト発電システムでは、インバータ回路のスイッチング素子のスイッチング操作により送電系統と蓄電手段と発電装置との電力のやり取りを複合して同時に行なうと共に負荷に電力を供給することができる。この結果、送電系統の瞬間的な停電の際でも負荷への電力の供給を停止することがない。また、発電装置により発電された電力を用いて蓄電手段を蓄電したり負荷を駆動することができるから、システムの効率を向上させることができる。
【０００８】
本発明の第２のオンサイト発電システムは、
電力消費地に設置されるオンサイト発電システムであって、
一次側が送電系統に接続され、少なくとも二次側が星形結線されてなり、多相交流電力を変圧する変圧手段と、
前記変圧手段の二次側に接続され、複数のスイッチング素子のスイッチング操作により多相交流電力と直流電力との変換が可能なインバータ回路と、
前記変圧手段の二次側の中性点と前記インバータ回路の正極母線または負極母線とに接続され、直流電力の充放電が可能で、負荷に電力の供給が可能な蓄電手段と、
前記インバータ回路の正極母線と負極母線とに接続された発電装置と
を備えることを要旨とする。
【０００９】
この本発明の第２のオンサイト発電システムでも、インバータ回路のスイッチング素子のスイッチング操作により送電系統と蓄電手段と発電装置との電力のやり取りを複合して同時に行なうと共に負荷に電力を供給することができる。この結果、送電系統の瞬間的な停電の際でも負荷への電力の供給を停止することがない。また、発電装置により発電された電力を用いて蓄電手段を蓄電したり負荷を駆動することができるから、システムの効率を向上させることができる。
【００１０】
本発明の第３のオンサイト発電システムは、
電力消費地に設置されるオンサイト発電システムであって、
一次側が送電系統に接続され、少なくとも二次側が星形結線されてなり、多相交流電力を変圧する変圧手段と、
前記変圧手段の二次側に接続され、複数のスイッチング素子のスイッチング操作により多相交流電力と直流電力との変換が可能なインバータ回路と、
前記変圧手段の二次側の中性点と前記インバータ回路の正極母線および負極母線の一方とに接続され、直流電力の充放電が可能で、負荷に電力の供給が可能な蓄電手段と、
前記変圧手段の二次側の中性点と前記インバータ回路の正極母線および負極母線のうち前記蓄電手段が接続されていない他方と接続された発電装置と
を備えることを要旨とする。
【００１１】
この本発明の第３のオンサイト発電システムでも、インバータ回路のスイッチング素子のスイッチング操作により送電系統と蓄電手段と発電装置との電力のやり取りを複合して同時に行なうと共に負荷に電力を供給することができる。この結果、送電系統の瞬間的な停電の際でも負荷への電力の供給を停止することがない。また、発電装置により発電された電力を用いて蓄電手段を蓄電したり負荷を駆動することができるから、システムの効率を向上させることができる。
【００１２】
こうした本発明の第１ないし第３のオンサイト発電システムにおいて、前記変圧手段は、各相のコイルを独立なコアに巻き付けてなるものとしたり、各相のコイルを共通のコアに巻き付けてなるものとすることもできる。
【００１３】
また、本発明の第１ないし第３のオンサイト発電システムにおいて、前記変圧手段は、一次側が星形結線されてなるものとしたり、一次側がデルタ結線もしくはＶ形結線されてなるものとすることもできる。
【００１４】
さらに、本発明の第１ないし第３のオンサイト発電システムにおいて、前記変圧手段は、一次側に高周波ノイズを吸収するフィルタを備えるものとすることもできる。こうすれば、高周波ノイズを除去することができる。
【００１５】
また、本発明の第１ないし第３のオンサイト発電システムにおいて、前記インバータ回路のスイッチング素子をスイッチング制御することにより前記送電系統と前記発電装置と前記蓄電手段との電力のやり取りを制御する制御手段を備えるものとすることもできる。
【００１６】
こうした制御手段を備える態様の本発明の第１ないし第３のオンサイト発電システムにおいて、前記制御手段は、前記蓄電手段の端子間電圧が所定範囲内となるよう制御する手段であるものとすることもできる。こうすれば、負荷により安定して電力を供給することができる。
【００１７】
また、制御手段を備える態様の本発明の第１ないし第３のオンサイト発電システムにおいて、前記送電系統の電圧位相を検出する電圧位相検出手段を備え、前記制御手段は、前記電圧位相検出手段により検出された前記送電系統の電圧位相に基づいて前記インバータ回路のスイッチング素子をスイッチングして前記変圧手段の二次側の電圧位相を制御することにより前記送電系統との電力のやり取りを制御する手段であるものとすることもできる。
【００１８】
あるいは、制御手段を備える態様の本発明の第１ないし第３のオンサイト発電システムにおいて、前記制御手段は、前記変圧手段の二次側に流れる電流のうち直流成分を調節することにより前記蓄電手段と前記発電装置との電力のやり取りを制御し、前記変圧手段の二次側に流れる電流のうち交流成分を調節することにより前記送電系統と前記蓄電手段および／または前記発電装置との電力のやり取りを制御する手段であるものとすることもできる。
【００１９】
【発明の実施の形態】
次に、本発明の実施の形態を実施例を用いて説明する。図１は、本発明の一実施例であるオンサイト発電システム２０の構成の概略を示す構成図である。実施例のオンサイト発電システム２０は、図示するように、三相の送電系統１０に高周波ノイズ除去フィルタ２２を介して一次側コイル３２が接続された三相変圧器３０と、三相変圧器３０の二次側コイル３４に接続されたインバータ回路４０と、インバータ回路４０の正極母線４２と負極母線４４とに接続されると共に負荷１２に接続された二次電池５０と、三相変圧器３０の二次側コイル３４の中性点３６とインバータ回路４０の負極母線４４とに接続された発電装置６０と、システム全体をコントロールする電子制御ユニット７０とを備える。
【００２０】
高周波ノイズ除去フィルタ２２は、例えば図２に例示するように、ｕ，ｖ，ｗの各相に接続されたコイル２４ｕ，２４ｖ，２４ｗと、各相間に接続されたコンデンサ２６ｕｖ，２６ｖｗ，２６ｗｕとにより構成することができる。
【００２１】
三相変圧器３０は、図３に例示するように、一次側コイル３２も二次側コイル３４も共に各相が共通のコアに巻き付けられて星型結線により構成されており、一次側コイル３２の各相間の電圧位相に対して二次側コイル３４の各相間の電圧位相を制御することにより、一次側の三相電力を変圧して二次側に供給したり、逆に二次側の三相電力を変圧して一次側に供給する。
【００２２】
インバータ回路４０は、６個のトランジスタＴ１〜Ｔ６と６個のダイオードＤ１〜Ｄ６とにより構成されている。６個のトランジスタＴ１〜Ｔ６は、それぞれ正極母線４２と負極母線４４とに対してソース側とシンク側となるよう２個ずつペアで配置され、その接続点に三相変圧器３０の二次側コイル３４の各相が接続されている。したがって、トランジスタＴ１〜Ｔ６のオン時間の割合とタイミングとを制御すれば、送電系統１０側と二次電池５０側との電力のやり取りを行なうことができる。
【００２３】
二次電池５０としては、例えばリチウムイオン電池やニッケル水素電池，鉛蓄電池など種々の二次電池を用いることができる。また、発電装置６０としては、例えば水素と酸素とを燃料として電気化学反応により発電する燃料電池や太陽光エネルギにより発電する太陽電池などの種々の発電装置を用いることができる。なお、図中の発電装置６０の「＋」と「−」は、出力端子の正負を示している。
【００２４】
電子制御ユニット７０は、ＣＰＵ７２を中心とするマイクロプロセッサとして構成されており、処理プログラムを記憶したＲＯＭ７４と、一時的にデータを記憶するＲＡＭ７６と、入出力ポート（図示せず）とを備える。この電子制御ユニット７０には、三相変圧器３０の一次側コイル３２への電力ラインに取り付けられた電圧センサ８０ｕｖ，８０ｖｗからの送電系統１０のＵｖ間およびｖｗ間の電圧ＶＵｖ，Ｖｖｗや三相変圧器３０の二次側コイル３４への電力ラインに取り付けられた電流センサ８２ｕ，８２ｖ，８２ｗからの２次側の各相電流Ｉｕ，Ｉｖ，Ｉｗ，二次電池５０の入出力端子に取り付けられた電圧センサ５８からの二次電池電圧Ｖｂ，発電装置６０の出力端子に取り付けられた電圧センサ６８からの発電電圧Ｖｇなどが入力ポートを介して入力されている。また、電子制御ユニット７０からは、インバータ回路４０のトランジスタＴ１〜Ｔ６のスイッチング制御を行なうための制御信号などが出力ポートを介して出力されている。
【００２５】
次に、こうして構成された実施例のオンサイト発電システム２０の動作について説明する。インバータ回路４０のトランジスタＴ１〜Ｔ６のオン時間の割合とオンとするタイミングとを制御することにより、二次電池５０側と送電系統１０側との電力のやり取り、即ち二次電池５０側が送電系統１０側から電力の供給を受ける動作と二次電池５０側の電力を送電系統１０側に供給する動作とが可能であることについては周知であり、これ以上の説明を要しない。ここでは、まず、発電装置６０と二次電池５０との電力のやり取りについて説明し、その後、オンサイト発電システム２０全体の動作について説明する。
【００２６】
図４は、三相変圧器３０の二次側コイル３４のｕ相に着目したオンサイト発電システム２０の回路図である。いま、インバータ回路４０のｕ相のトランジスタＴ２をオンとした状態を考えると、この状態では、図中破線矢印で示す短絡回路が形成され、三相変圧器３０の二次側コイル３４のｕ相はリアクトルとして機能する。この状態からトランジスタＴ２をオフすると、リアクトルとして機能している二次側コイル３４のｕ相に蓄えられたエネルギは、図中実線矢印で示す充電回路により二次電池５０に蓄えられる。即ち二次電池５０を充電するのである。三相変圧器３０二次側コイル３４のｖ相およびｗ相も、ｕ相と同様に動作するから、トランジスタＴ２，Ｔ４，Ｔ６をオンオフすることにより、発電装置６０からの電力を用いて二次電池５０を充電することができる。
【００２７】
前述したように、インバータ回路４０のトランジスタＴ１〜Ｔ６のオン時間の割合とオンとするタイミングとを制御することにより、二次電池５０側と送電系統１０側との電力のやり取りを行なうことができるから、三相変圧器３０の二次側コイル３４の電圧に着目すると、その交流成分で二次電池５０側と送電系統１０側との電力のやり取りを行ない、その直流成分で発電装置６０と二次電池５０との電力のやり取りを行なうことができる。したがって、電子制御ユニット７０により三相変圧器３０の二次側コイル３４における電圧位相と交流成分および直流成分の大きさをトランジスタＴ１〜Ｔ６のスイッチングにより制御すれば、二次電池５０側と送電系統１０側との電力のやり取りと発電装置６０と二次電池５０との電力のやり取りとを複合して同時に行なうことができる。電力のやり取りのモードとしては、発電装置６０で発電がおこなわれていないときには送電系統１０から二次電池５０へ電力を供給するモードと二次電池５０から送電系統１０へ電力を供給するモードとがあり、発電装置６０で発電が行なわれているときには発電装置６０から二次電池５０に電力を供給すると共に送電系統１０から二次電池５０に電力を供給するモードと発電装置６０から二次電池５０に電力を供給すると共に二次電池５０から送電系統１０へ電力を供給するモード、即ち発電装置６０の発電電力を二次電池５０を介して送電系統１０へ供給するモードとがある。なお、各モードには、負荷１２の電力の消費の有無の２つのモードが付け加えられる。
【００２８】
以上説明した実施例のオンサイト発電システム２０によれば、インバータ回路４０のトランジスタＴ１〜Ｔ６をスイッチング制御することにより、送電系統１０側と二次電池５０側の電力のやり取りと発電装置６０と二次電池５０との電力のやり取りとを同時に行なうことができる。
【００２９】
また、実施例のオンサイト発電システム２０によれば、負荷１２は二次電池５０の入出力端子に接続されているから、災害などにより送電系統１０に異常が生じた際の停電や送電系統１０の瞬間的な停電の際でも、負荷１２を一時停止することなく電力の安定供給を行なうことができる。
【００３０】
さらに、実施例のオンサイト発電システム２０によれば、発電装置６０による発電電力を二次電池５０に充電したり、二次電池５０を介して送電系統１０に供給することができるから、エネルギ効率のよいシステムとすることができる。
【００３１】
実施例のオンサイト発電システム２０では、高周波ノイズ除去フィルタ２２を介して送電系統１０と三相変圧器３０の一次側コイル３２とを接続したが、高周波ノイズ除去フィルタ２２の構成は図２に例示するもの以外のものでもよく、高周波ノイズ除去フィルタ２２を備えないものとしてもかまわない。
【００３２】
また、実施例のオンサイト発電システム２０では、三相変圧器３０を、図３に例示するように、一次側コイル３２と二次側コイル３４の各相を共通のコアに巻き付けたが、図５に例示するように、一次側コイル３２と二次側コイル３４の各相を独立したコアに巻き付けてもよい。また、実施例のオンサイト発電システム２０では、三相変圧器３０の一次側コイル３２を星形結線により構成したが、デルタ結線により構成してもよい。
【００３３】
実施例のオンサイト発電システム２０では、三相変圧器３０の二次側コイル３４の中性点３６とインバータ回路４０の負極母線４４とに発電装置６０を接続したが、図６に例示する変形例のオンサイト発電システム２０Ｂのように、三相変圧器３０の二次側コイル３４の中性点３６とインバータ回路４０の正極母線４２とに発電装置６０を接続するものとしてもよい。この場合でも、図７に例示する三相変圧器３０の二次側コイル３４のｕ相に着目したオンサイト発電システム２０Ｂの回路図に示すように、トランジスタＴ１をオンとしたときの図中破線で示す短絡回路とトランジスタＴ１をオフとしたときの図中実線で示す充電回路により、発電装置６０の発電電力を用いて二次電池５０を充電することができる。もとより、インバータ回路４０のトランジスタＴ１〜Ｔ６のスイッチング制御により二次電池５０と送電系統１０との電力のやり取りを行なうことができる。
【００３４】
実施例のオンサイト発電システム２０では、インバータ回路４０の正極母線４２と負極母線４４とに二次電池５０を接続すると共に三相変圧器３０の二次側コイル３４の中性点３６とインバータ回路４０の負極母線４４とに発電装置６０を接続したが、図８に例示する変形例のオンサイト発電システム２０Ｃのように、インバータ回路４０の正極母線４２と負極母線４４とに発電装置６０を接続すると共に三相変圧器３０の二次側コイル３４の中性点３６とインバータ回路４０の負極母線４４とに二次電池５０を接続したり、図９に例示する変形例のオンサイト発電システム２０Ｄのように、インバータ回路４０の正極母線４２と負極母線４４とに発電装置６０を接続すると共に三相変圧器３０の二次側コイル３４の中性点３６とインバータ回路４０の正極母線４２とに二次電池５０を接続するものとしてもよい。これらの場合、図１０と図１１とが三相変圧器３０の二次側コイル３４のｕ相に着目したオンサイト発電システム２０Ｃ，２０Ｄの回路図に対応し、変形例のオンサイト発電システム２０ＣではトランジスタＴ１をオンオフすることにより、変形例のオンサイト発電システム２０ＤではトランジスタＴ２をオンオフすることにより、図中実線で示す充電回路と破線で示す短絡充電回路とにより、発電装置６０の発電電力を用いて二次電池５０を充電することができる。もとより、インバータ回路４０のトランジスタＴ１〜Ｔ６のスイッチング制御により発電装置６０側と送電系統１０との電力のやり取りを行なうことができる。
【００３５】
また、図１２に例示する変形例のオンサイト発電システム２０Ｅのように、インバータ回路４０の正極母線４２と三相変圧器３０の二次側コイル３４の中性点３６とに二次電池５０を接続すると共にインバータ回路４０の負極母線４４と三相変圧器３０の二次側コイル３４の中性点３６とに発電装置６０を接続するものとしたり、図１３に例示する変形例のオンサイト発電システム２０Ｆのように、インバータ回路４０の負極母線４４と三相変圧器３０の二次側コイル３４の中性点３６とに二次電池５０を接続すると共にインバータ回路４０の正極母線４２と三相変圧器３０の二次側コイル３４の中性点３６とに発電装置６０を接続するものとしてもよい。これらの場合、図１４と図１５とが三相変圧器３０の二次側コイル３４のｕ相に着目したオンサイト発電システム２０Ｅ，２０Ｆの回路図に対応し、変形例のオンサイト発電システム２０ＥではトランジスタＴ２をオンオフすることにより、変形例のオンサイト発電システム２０ＦではトランジスタＴ１をオンオフすることにより、図中破線で示す短絡回路と実線で示す充電回路とにより、発電装置６０の発電電力を用いて二次電池５０を充電することができる。もとより、インバータ回路４０のトランジスタＴ１〜Ｔ６のスイッチング制御により二次電池５０および発電装置６０側と送電系統１０との電力のやり取りを行なうことができる。
【００３６】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】  本発明の一実施例であるオンサイト発電システム２０の構成の概略を示す構成図である。
【図２】  高周波ノイズ除去フィルタ２２の一例を示す回路図である。
【図３】  三相変圧器３０の構成の一例を示す構成図である。
【図４】  三相変圧器３０の二次側コイル３４のｕ相に着目したオンサイト発電システム２０の回路図である。
【図５】  変形例の三相変圧器の構成の一例を示す構成図である。
【図６】  変形例のオンサイト発電システム２０Ｂの構成の概略を示す構成図である。
【図７】  三相変圧器３０の二次側コイル３４のｕ相に着目した変形例のオンサイト発電システム２０Ｂの回路図である。
【図８】  変形例のオンサイト発電システム２０Ｃの構成の概略を示す構成図である。
【図９】  変形例のオンサイト発電システム２０Ｄの構成の概略を示す構成図である。
【図１０】  三相変圧器３０の二次側コイル３４のｕ相に着目した変形例のオンサイト発電システム２０Ｃの回路図である。
【図１１】  三相変圧器３０の二次側コイル３４のｕ相に着目した変形例のオンサイト発電システム２０Ｄの回路図である。
【図１２】  変形例のオンサイト発電システム２０Ｅの構成の概略を示す構成図である。
【図１３】  変形例のオンサイト発電システム２０Ｆの構成の概略を示す構成図である。
【図１４】  三相変圧器３０の二次側コイル３４のｕ相に着目した変形例のオンサイト発電システム２０Ｅの回路図である。
【図１５】  三相変圧器３０の二次側コイル３４のｕ相に着目した変形例のオンサイト発電システム２０Ｆの回路図である。
【符号の説明】
１０  送電系統、１２  負荷、２０，２０Ｂ〜２０Ｆ  オンサイト発電システム、２２  高周波ノイズ除去フィルタ、２４ｕ，２４ｖ，２４ｗ  コイル、２６ｕｖ，２６ｖｗ，２６ｗｕ  コンデンサ、３０  三相変圧器、３２  一次側コイル、３４  二次側コイル、３６  中性点、４０  インバータ回路、４２  正極母線、４４  負極母線、５０  二次電池、５８  電圧センサ、６０  発電装置、６８  電圧センサ、７０  電子制御ユニット、７２  ＣＰＵ、７４  ＲＯＭ、７６ＲＡＭ、８０ｕｖ，８０ｖｗ  電圧センサ、８２ｕ，８２ｖ，８２ｗ  電流センサ、Ｔ１〜Ｔ６  トランジスタ、Ｄ１〜Ｄ６  ダイオード。
【図１】
0004142241.tif 000002
【図２】
0004142241.tif 000003
【図３】
0004142241.tif 000004
【図４】
0004142241.tif 000005
【図５】
0004142241.tif 000006
【図６】
0004142241.tif 000007
【図７】
0004142241.tif 000008
【図８】
0004142241.tif 000009
【図９】
0004142241.tif 000010
【図１０】
0004142241.tif 000011
【図１１】
0004142241.tif 000012
【図１２】
0004142241.tif 000013
【図１３】
0004142241.tif 000014
【図１４】
0004142241.tif 000015
【図１５】
0004142241.tif 000016